(57)【要約】      （修正有）【課題】強度を向上させる組立て式ベッドを提供する。【解決手段】解決手段を提供する組立て式ベッド１は、天板２０と底板３０と円筒形状に構成されて天板および底板の間に配置される複数の支柱４１、４２、４３、４４とを具備する。その組立て式ベッドが具備する天板は、その複数の支柱とそれぞれ嵌合する複数の溝を備える。その組立て式ベッドが具備する底板は、その複数の支柱とそれぞれ嵌合する複数の溝を備える。その組立て式ベッドが具備する複数の支柱は、その天板の複数の溝およびその底板の複数の溝にそれぞれ嵌合して配置される。【選択図】図１
0003222554.tif 000002
【実用新案登録請求の範囲】
【請求項１】
天板と、
底板と、
円筒形状に構成されて前記天板および前記底板の間に配置される複数の支柱と
を具備し、
前記天板は、前記複数の支柱とそれぞれ嵌合する複数の溝を備え、
前記底板は、前記複数の支柱とそれぞれ嵌合する複数の溝を備え、
前記複数の支柱は、前記天板の複数の溝および前記底板の複数の溝にそれぞれ嵌合して配置される
組立て式ベッド。
【請求項２】
前記複数の支柱は、テーパ形状に構成される請求項１記載の組立て式ベッド。
【請求項３】
前記複数の支柱は、入れ子状に配置されて収納される請求項１記載の組立て式ベッド。
【請求項４】
天板および底板が複数の板に分割される請求項１記載の組立て式ベッド。
【請求項５】
前記分割された天板および底板は、前記複数の支柱の少なくとも１つが共通に嵌合して配置されることにより連結される請求項４記載の組立て式ベッド。
【考案の詳細な説明】
【技術分野】
【０００１】
本考案は、組立て式ベッドに関する。詳しくは、段ボール等の素材により構成される組立て式ベッドに関する。
【背景技術】
【０００２】
従来、震災等の災害が発生した際には、被災者が学校の体育館等の避難所に寝泊まりしていた。このような避難所においては、寝具等の準備が十分ではないため、被災者は避難所の床に直接布団等を敷いて夜間を過ごす必要があった。災害の規模が大きい場合、被災者は、比較的長い期間を避難所で過ごすこととなり、被災者の肉体的および精神的な負担が増大する問題があった。
【０００３】
そこで、平時には倉庫等に収納しておき、災害発生時に被災地に手軽に搬入して簡単に組立てて使用するベッドが提案されている。例えば、複数の桟により連結された複数の脚板の上に台板が載置されて構成される組立て式ベッドが提案されている（例えば、特許文献１参照。）。この組立て式ベッドにおいては、平板状の複数の脚板が平行に配置されるとともに複数の桟がこれらの脚板に垂直な方向に組み合わされて連結され、人物を載置する台板を支える形状に構成される。
【先行技術文献】
【特許文献】
【０００４】
【特許文献１】特開２０１６−１０６７４３号公報
【考案の概要】
【考案が解決しようとする課題】
【０００５】
上述の従来技術では、脚板の強度が不足するという問題がある。台板を支える複数の脚板は、台板の長辺に対して平行に配置されるため、台板の長辺方向の強度が不足する。震災の発生後には、比較的大きな余震を生じる場合がある。この余震による横揺れが台板の長辺方向に加わると、強度不足により脚板が破損する可能性がある。
【０００６】
本考案は、上述した問題点に鑑みてなされたものであり、組立て式ベッドの強度を向上することを目的としている。
【課題を解決するための手段】
【０００７】
本開示は、上述の問題点を解消するためになされたものであり、その第１の態様は、天板と、底板と、円筒形状に構成されて上記天板および上記底板の間に配置される複数の支柱とを具備し、上記天板は、上記複数の支柱とそれぞれ嵌合する複数の溝を備え、上記底板は、上記複数の支柱とそれぞれ嵌合する複数の溝を備え、上記複数の支柱は、上記天板の複数の溝および上記底板の複数の溝にそれぞれ嵌合して配置される組立て式ベッドである。
【０００８】
また、この第１の態様において、上記複数の支柱は、テーパ形状に構成されてもよい。
【０００９】
また、この第１の態様において、上記複数の支柱は、入れ子状に配置されて収納されてもよい。
【００１０】
また、この第１の態様において、天板および底板が複数の板に分割されてもよい。
【００１１】
また、この第１の態様において、上記分割された天板および底板は、上記複数の支柱の少なくとも１つが共通に嵌合して配置されることにより連結されてもよい。
【００１２】
本開示の態様により、複数の支柱の端部が天板および底板にそれぞれ嵌合して配置されるという作用をもたらす。
【考案の効果】
【００１３】
天板を支える複数の支柱が天板および底板により拘持されるため、ベッドの強度を向上させることができる。横揺れが加えられる場合であっても、破損を防止することができる。
【図面の簡単な説明】
【００１４】
【図１】本考案の実施の形態に係るベッドの構成例を示す図である。
【図２】本考案の実施の形態に係る天板および底板の構成例を示す図である。
【図３】本考案の実施の形態に係る支柱の構成例を示す図である。
【図４】本考案の実施の形態に係るベッドの収納方法の一例を示す図である。
【考案を実施するための形態】
【００１５】
次に、図面を参照して、本考案を実施するための形態（以下、実施の形態と称する）を説明する。以下の図面において、同一または類似の部分には同一または類似の符号を付している。
【００１６】
［ベッドの構成］
図１は、本考案の実施の形態に係るベッドの構成例を示す図である。同図は、ベッド１の構成例を表す図である。同図におけるＡは、組立て後のベッド１の構成を表す図である。同図のベッド１は、天板２０と、底板３０と、支柱４１乃至４４とを備える。なお、支柱４１乃至４４は、脚部４０を構成する。
【００１７】
天板２０は、ベッド１の上面に配置される板であり、ベッド１の使用者が載置される部分である。同図におけるＡのベッド１は、長方形の形状に構成される２つの天板２０が長辺側において隣接して配置される例を表したものである。天板２０は、段ボールにより構成することができる。天板２０には、後述する支柱４１乃至４４を嵌合する溝が裏面に配置される。また、天板２０は、収納時に折り畳むことができる。同図におけるＡの天板２０の点線は折り線を表す。同図の天板２０は、４つ折りにして収納される場合を想定したものである。
【００１８】
底板３０は、ベッド１の底面に配置される板である。この底板３０は、天板２０と同様に、長方形の形状に構成することができ、２つの底板３０を長辺側において隣接して配置する構成にすることができる。また、天板２０と同様に、底板３０は、段ボールにより構成することができ、収納時に４つ折りにすることができる。この底板３０には、後述する支柱４１乃至４４を嵌合する溝が配置される。
【００１９】
支柱４１乃至４４は、天板２０および底板３０の間に配置され、天板２０を支えるものである。ベッド１には、複数の支柱４１乃至４４が分散して配置される。これにより、ベッド１に使用者が横臥する際の荷重が分散され、天板２０の変形等の破損を防ぐことができる。同図におけるＡの支柱４１乃至４４は、テーパ形状に構成される例を表したものである。すなわち、同図におけるＡの支柱４１乃至４４は、上面の径が底面の径より小さな円筒の形状に構成することができる。同図のベッド１には、このような構成の支柱４１乃至４４が４組配置される。なお、支柱４１乃至４４は、紙管、紙筒および段ボールにより構成することができる。また、同図におけるＡの支柱４１乃至４４は、同じ高さに構成されるとともにそれぞれ外径および内径が異なる形状に構成される。具体的には、支柱４１乃至４４は、この順に小さな外径および内径に構成される。これにより、収納時には、入れ子状に配置することができる。
【００２０】
同図におけるＢは、収納時の天板２０、底板３０および支柱４１乃至４４の配置の一例を表す図である。収納の際、２つの天板（天板２０および天板２０’）および２つの底板（底板３０および底板３０’）がそれぞれ４つ折りにされ、４組の支柱４１乃至４４がそれぞれ入れ子状に配置される。同図におけるＢに表したように、４つ折りの天板２０等は、収納部材２に収納することができる。これにより、ベッド１の保管および運搬を容易に行うことができる。収納部材２は、例えば、布製の袋により構成することができる。また、段ボールの箱により構成された収納部材２を使用することもできる。また、収納部材２に取っ手を付けることもできる。
【００２１】
［天板および底板の構成］
図２は、本考案の実施の形態に係る天板および底板の構成例を示す図である。同図におけるＡは、天板２０および２０’の表面の構成例を表す図である。同図に表したように、天板２０および２０’は、幅４５０ｍｍ、長さ２０００ｍｍの大きさに構成することができる。また、折り線は、５００ｍｍ毎に形成することができる。このような天板２０および２０’を隣接して配置することにより、ベッド１の寝台部分を幅９００ｍｍ、長さ２０００ｍｍの大きさに構成することができる。大人一人が横臥するに際し、十分な大きさに構成することができる。
【００２２】
同図におけるＢは、天板２０および２０’の裏面の構成例を表す図である。天板２０および２０’の裏面には、支柱４１乃至４４を嵌合するための溝２１、２１’、２２、２３および２４が配置される。これらの溝２１、２１’、２２、２３および２４は、同図におけるＢに記載された寸法により表された位置に配置することができる。溝２１および２１’、２２、２３ならびに２４は、それぞれ支柱４１乃至４４に対応する形状に構成される。溝２１は、円環形状に構成される。溝２１’は、溝２１が天板２０および２０’に掛かる位置に配置された溝に相当し、２分割された円環形状に構成される。同様に溝２２は、天板２０および２０’に掛かる位置に配置され、２分割された円環形状に構成される。溝２３および２４は、円環形状に構成される。
【００２３】
２組の溝２１’と４組の溝２２は、天板２０および２０’が隣接する側の長辺に配置される。これらの溝に支柱４１および４２が嵌合して配置されることにより、天板２０および２０’が連結される。２つの溝２１および４つの溝２３は、天板２０および２０’の折り線に掛かる位置に配置される。これらの溝に支柱４１および４３が嵌合して配置されることにより、天板２０および２０’の折り線部分を補強することができる。溝２４は、連結された天板２０および２０’の４隅に配置される。この溝２４に支柱４４を配置することにより、連結された天板２０および２０’の四隅を支持することができる。同図に表したように、連結された天板２０および２０’の長辺および短辺のそれぞれの中央部に比較的大きな径の支柱４１および４２を配置する。これにより、使用者が横臥した際に大きな荷重が掛かる領域を耐荷重の大きな支柱により支えることができる。
【００２４】
同図におけるＣは、天板２０および２０’の断面の構成例を表す模式図である。同図におけるＣに表したように、天板２０および２０’は、３層の段ボールにより構成することができる。３層構造にすることにより、強度を向上させることができる。この際、上述の溝は、３層の段ボールの裏面側の１層に形成することができる。同図におけるＣは、天板２０および２０’の長辺側の側面の溝２２の部分の構成を模式的に記載した図である。
【００２５】
底板３０および３０’の表面の構成は、同図におけるＡにおいて説明した天板２０および２０’と共通の構成にすることができる。また、底板３０および３０’の裏面の構成は、同図におけるＢにおいて説明した天板２０および２０’と共通の構成にすることができる。なお、支柱４１乃至４４がテーパ形状であるため、支柱４１乃至４４の底部の大きさに嵌合するサイズの溝を底板３０および３０’に形成する必要がある。円筒形状の支柱４１乃至４４を採用する際には、同じサイズの溝を天板２０および２０’ならびに底板３０および３０’の裏面にそれぞれ形成する。
【００２６】
同図におけるＤは、底板３０および３０’の断面の構成例を表す図である。同図におけるＤに表したように、底板３０および３０’は、２層構成の段ボールにより構成することができる。天板２０および２０’とは異なり、底板３０および３０’に掛かる荷重は比較的小さいため、段ボールを２層構成にして軽量化することができる。なお、天板２０および２０’と同様に、溝は裏面側の１層に形成することができる。
【００２７】
天板２０および２０’ならびに底板３０および３０’を構成する段ボールには、防水加工を施すこともできる。
【００２８】
［支柱の構成］
図３は、本考案の実施の形態に係る支柱の構成例を示す図である。同図は、支柱４１乃至４４の構成例を表す図である。同図において、破線は内側面を表す。また、同図におけるＡはテーパ形状の支柱４１乃至４４の例を表した図であり、同図におけるＢは円筒形状の支柱４１乃至４４の例を表した図である。支柱４１乃至４４は、同図に表した寸法に形成することができる。この際、素材に応じた余裕部分を持たせた寸法に変更することができる。同図に表したように、支柱４２の外径は、支柱４１の内径と略等しい大きさに構成することができる。同様に、支柱４３の外径は支柱４２の内径と略等しい大きさに構成することができ、支柱４４の外径は支柱４３の内径と略等しい大きさに構成することができる。
【００２９】
テーパ形状の支柱４１乃至４４を採用する場合には、ベッド１の強度をさらに向上させることができる。テーパ形状にすることにより、横方向の応力に対して安定度を向上させることができるためである。一方、円筒形状の支柱４１乃至４４を採用する場合には、支柱４１乃至４４の製造が比較的容易であるため、コストを削減することができる。
【００３０】
［収納方法］
図４は、本考案の実施の形態に係るベッドの収納方法の一例を示す図である。同図におけるＡは、収納時の支柱４１乃至４４の配置例を表した断面図である。収納の際には、支柱４４の外側に支柱４３、支柱４２および支柱４１を順に配置することにより、これらを入れ子状に配置することができる。
【００３１】
同図におけるＢは、図１におけるＢにおいて説明した収納時の天板２０等の配置例を表す側面図である。入れ子状の脚部４０を２段重ねに配置し、４つ折りの天板２０等を隣接して配置する。同図におけるＣは、収納時の天板２０等の配置例を表す上面図である。このように、脚部４０を重ねて配置するとともに４つ折りの天板２０および２０’ならびに底板３０および３０’を隣接して配置することにより、収納時のベッド１を小型化することができる。
【００３２】
なお、ベッド１の構成は、この例に限定されない。例えば、図１におけるＢに表した収納部材２を底板３０または底板３０の一部として使用することもできる。具体的には、収納部材２を段ボールの箱の形状に構成し、ベッド１を収納する際には天板２０等の収納部材として使用する。ベッド１を組み立てる際には収納部材２を底板として使用する。これより、底板３０の省略や削減が可能となる。この際、収納部材２には、図２におけるＢに置いて説明した溝を形成する必要がある。
【００３３】
このように、段ボールにより構成された天板２０および底板３０を使用することにより、ベッド１を軽量化することができる。また、複数の支柱４１等により天板２０を支えるとともに支柱４１の上面および底面の端部が天板２０および底板３０によりそれぞれ拘持されるため、横揺れを生じた場合であっても支柱４１等のずれを防ぐことができる。ベッド１を収納する際には、天板２０および底板３０を折り曲げるとともに支柱４０を入れ子状に配置してコンパクト化することができ、保管場所を縮小することができる。一方、天板２０および底板３０に形成された溝に支柱４１等を嵌合させて配置する構成を採ることにより、ベッド１の組立てを簡略化することができる。災害発生時を想定した運用が可能となる。また、ベッド１を段ボールや紙により構成するため、廃棄時の環境負荷を軽減することができる。
【００３４】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【００３５】
また、上述の実施の形態における図面は、模式的なものであり、各部の寸法の比率等は現実のものとは必ずしも一致しない。また、図面相互間においても互いの寸法の関係や比率が異なる部分が含まれることは勿論である。
【符号の説明】
【００３６】
１  ベッド
２  収納部材
２０、２０’  天板
２１、２１’、２２〜２４  溝
３０、３０’  底板
４０  脚部
４１〜４４  支柱
【図１】
0003222554.tif 000003
【図２】
0003222554.tif 000004
【図３】
0003222554.tif 000005
【図４】
0003222554.tif 000006